(57)【特許請求の範囲】
【請求項１】
窓や出入り口などに差し込む日差しを遮る日除けスクリーンと、建物の外壁等に取付けられかつ前記スクリーンを巻上げできるように該スクリーン一端側が固定されたスクリーン巻取軸と、スクリーンの巻出し先端側を巻出した状態で支持する支持手段と、スクリーンを巻上げする方向の強制回転力を前記巻取軸に付勢するバネ手段と、このバネ手段によるバネ付勢力に抗して前記巻取軸にスクリーン巻出し方向の回転を与えることができるように設けられたスクリーン巻出し操作手段と、前記巻取軸の回転を制御する第１及び第２のクラッチ手段からなる巻取軸回転制御手段と、を備えた外部日除け装置であり、
前記第１のクラッチ手段は、前記スクリーン巻出し操作手段から巻取軸に伝えられる回転操作により前記バネ手段による巻取軸のスクリーン巻上げ方向の強制回転を自由に許す状態と、同強制回転を拘束する状態とを切替えるように設けられ、前記第２のクラッチ手段は、前記スクリーンに外部からスクリーン巻出し方向の張力が所定値以上の力として作用したときに前記第１のクラッチ手段により巻上げ方向の強制回転が拘束されている状態を解除して該強制回転を許すように設けられていることを特徴とする外部日除け装置。
【請求項２】
前記第２のクラッチ手段において、スクリーンから伝えられて巻取軸の巻上げ方向の強制回転の阻止を解除する所定値以上の回転力は、スクリーンに対して風で与えられるものであることを特徴とする請求項１に記載の外部日除け装置。
【請求項３】
前記第１のクラッチ手段は、巻取軸を支持する固定軸との間で該巻取軸の巻上げ回転の許容と解除を切替える一方向性クラッチバネを含み、第２のクラッチ手段は、前記一方向性クラッチバネの締まり勝ってを解除する手段であることを特徴とする請求項１又は２に記載の外部日除け装置。
【請求項４】
第２クラッチ手段を解除するために必要な巻取パイプの回転量は、第１クラッチ手段を解除するために必要な巻取パイプの回転量よりも小さいことを特徴とする請求項１ないし３のいずれかに記載の外部日除け装置。
【請求項５】
第２クラッチ手段を解除するための力を操作手段によって調整可能としたことを特徴とする請求項１ないし４のいずれかに記載の外部日除け装置。
【発明の詳細な説明】
【０００１】
【発明の属する技術分野】
本発明は、ベランダやテラス、店舗の出入り口等に設置する外部日除け装置（オーニング）に関するものである。
【０００２】
【従来の技術】
従来から、例えば店舗の出入り口に比較的大きな日除けスクリーン（テントシート）等を設置する外部日除け装置が多く採用されており、また、カーテン等に比べて外部日除け装置を設置した場合の室内の冷房エネルギーが飛躍的に減少することなどから、個人の家屋でも日除け装置を設置するケースが増している。そして、このスクリーンは通常は建物から道路側等に張り出して固定設置されるものが多いが、スクリーンを電動あるいは手動で軸に巻き取って収納することが出来るようにした構造のものも知られている。
【０００３】
上記のような日除け装置の従来装置については、前者の固定設置のタイプのものは、建物の外部に設置され風等の影響で壊されないようにある程度の強度をもつように作られるが、台風などの強風に耐えられるようにするにはコストが嵩むため、それほど強靭な構造には設けられておらず、強風にあおられて壊れるという問題があった。
【０００４】
一方、このようなスクリーンの巻出し，巻上げ操作を行うようにした装置としては、例えば、巻取軸の端部に操作用のチェーンを設けて、チェーンの連続引き操作により、巻取軸にスクリーンを巻取ったり巻解いたりするチェーン操作式のものがある。しかしこの方式の装置は、スクリーンを巻取るためにはチェーンを引き操作するしかないため、スクリーンが風に煽られてもスクリーンを自動的に巻取ることができず、強風に煽られた場合には装置が破損する虞れがあるという問題がある。またスクリーン収納タイプのもののうちで、例えば、スクリーンの軸側の一端を巻取軸に固定し、巻取軸の両端から折り畳みあるいは伸縮などの手段によって電動又は手動で開閉可能に設けられたアームにスクリーンの展開側の先端を固定し、アームの開閉によってスクリーンを巻出し（展開し）あるいは巻上げ（収容）するようにしたものがあり、この装置においても、強風時にスクリーンを軸巻き取って収容しておけば上記の破壊の問題は生じないという利点がある。
【０００５】
しかし、スクリーンの巻上げを電動，手動のいずれによって行う場合にも、人為的な収納操作をしなくてはならないものが殆どで、事前に予測できない突風のような風による場合には対処できず、また留守をしている場合には対処できないという問題があって、強風作用時に装置が壊れる危険性も残る。
【０００６】
以上のような強風作用時に装置が壊れるという問題を解消するためのオーニングの風対策としては、一つには装置に十分な強度を与えるという方向があり、例えば、巻取軸内に設けたコイルバネにより常時スクリーン巻上げ方向の回転を付勢しつつ、アームの開閉によってスクリーンの所定の位置で展開（巻出し）状態を維持するようにしたものにおいて、バネ力に抗してアームに常にスクリーン巻出し方向のテンションを加え、かつアームの強度を強化することによって強風に耐えうるようにしたものが知られている。しかしこの方式のものは、構造強化のために費用が嵩むという問題がある他、スクリーンを巻上げるように設けられている巻取軸に内蔵のコイルバネのトルクよりも大きなトルクでアームによるテンションをかける必要があるため、通常のスクリーン巻上げ（収容）操作の際のアーム折り畳む際み操作荷重が非常に重くなるという問題がある。
【０００７】
上記のような強度補強ではなく、強風作用時には自動的にスクリーンを巻上げさせてしまうという対策もあり、例えば、装置に隣接して風力センサーを取付け、所定量以上の風を風力センサーが検知した場合には、風力センサーが巻取軸を回転させるモータ等にスクリーン巻上げの信号を送り、モータの稼働で巻取軸がスクリーンを巻上げるようにしたいわゆる電動タイプのものも提案されている。しかし、このように構成した装置は高価になることが避けられないという問題がある。
【０００８】
また、巻出した（展開した）状態のスクリーンに強風が作用したときには、このスクリーンに生ずる強い張力により巻取軸から巻出されているスクリーンの両側を支えている支持アームを旋回させて、巻取軸に内挿している巻取りコイルバネでスクリーンを自動的に巻き上げるようにした機械式の自動巻上げ式外部日除け装置の提案もされている（特開平１０−２６６５０２号公報）。
【０００９】
この提案の外部日除け装置は、出入口や窓の上部に取り付けられかつコイルバネを内蔵したスクリーン巻取軸に該スクリーンを巻取り可能とした構造となっていて、巻取軸には常にスクリーンを巻き上げるバネ力が作用し、常時は巻出した（展開した）スクリーンが巻取軸に巻き取られないようにするために両側の支持アームで該展開状態のスクリーンを支える構造としたものである。そしてこの支持アームを旋回可能に設けると共に、伸縮可能のスライダーと、このスライダーを常に突出する方向に付勢するバネとを備え、常時はこの支持アーム内のバネで上記巻取軸内のコイルバネのバネ力に抗してスクリーンを巻出し（展開）状態の一定の姿勢に支持し、強風が作用してスクリーンに大きな張力が生じた場合には、この姿勢が崩れて支持アームを旋回させることで巻取軸の巻取りバネ力でスクリーンを収納するようにしたものである。
【００１０】
この機械式の自動収納機能を備えた外部日除け装置によれば、人が人為的な収納操作を行わなくても強風，突風などがスクリーンに作用したときに装置を破壊せずにスクリーンを自動的に巻上げ収納することができる点で優れている。
【００１１】
しかし、スクリーンを巻上げするための機構と、この巻上げを常時は阻止し、強風時等においてはその阻止を解除する支持アーム機構をスクリーンの両側に一対設ける必要があり、その分コストが嵩むという問題があり、また、支持アーム機構の設置を正確な位置に行わないとスクリーンを自動的に収納する際のスクリーン張力が一定しないという問題もある。更に、支持アームによるストッパー作用によってスクリーンの展開状態を維持しているため、スクリーンを途中位置（姿勢が違う位置）で停止させることができず、スクリーンの展開は一位置しか与えられないという問題もある。
【００１２】
上記のようなコイルバネによるバネ力付勢式の巻取軸型の日除け装置の機構を簡単にするために、例えば、室内で使用するいわゆる巻取式スクリーン装置であるロールスクリーンを応用することが考えられる。
【００１３】
この室内用ロールスクリーンにはいくつかの方式のものがあるが、基本的には巻上げ方向のバネ力付勢コイルバネを内蔵したスクリーン巻取パイプと、巻取パイプを回転させるチェーン−プーリー等の回転操作手段と、スクリーン巻出し終了後に巻き上げようとするスクリーンの回転を固定軸との係合関係で止めるクラッチとを備え、更に必要に応じてこのクラッチの固定軸との係合を維持するための一方向性クラッチバネとを備えたものである。この巻取軸のスクリーン巻上げ方向の作用を、スクリーンに対して巻出し方向の操作の操作量によって阻止し、解除するクラッチ機構を備えたものであり、例えば、巻出し方向の操作で回転軸の回転阻止を解除する方式のものは、一回のスクリーン巻出し操作で該スクリーンを巻出した後、この巻出し操作を停止するとクラッチ機構の機能によってスクリーンの巻上げを阻止した状態で停止し、次に僅かにスクリーンを巻出し操作すると、該クラッチ機構の巻上げ阻止が解除されてスクリーンの巻上げが行われる状態になるものとして、特許第２６６１８２９号公報等によって開示され、反対に、巻上げ方向の回転操作で回転阻止を解除する方式のものは、スクリーンの巻出し操作はエンドレス状チェーンの一方側を連続して引き操作することによって行い、スクリーンを巻出した後、この巻出し操作を停止するとクラッチ機構の機能によってスクリーンの巻上げを阻止した状態で停止し、次にスクリーンの巻上げ操作はチェーンの他方側を引くか、あるいはスクリーンを巻出し方向に引くかによって、クラッチ機構の巻上げ阻止状態を解除させてスクリーンの巻上げが行われる状態になるようにしたものとして、特開平７−２３３６８４号公報により開示されている。
【００１４】
しかし、屋内用のロールスクリーンは、上記いずれの巻上げ阻止の方式のものとしても、スクリーンから巻取軸に巻出し方向にある程度の強いトルクが作用したときにはじめてクラッチ解除する機構としては考えられていないので、これを屋外に設置した場合、スクリーンが風に煽られるとすぐに巻取軸が巻出し方向に回転してしまうか、あるいは機構が壊れない限りにあくまでも阻止を継続することになり、外部日除け装置には応用できない。
【００１５】
【発明が解決しようとする課題】
本発明は以上のような従来の種々の日除け装置における破壊等の問題を解消することができる新規な日除け装置を提供することを目的とする。
【００１６】
また本発明は、安価でかつ巻出し位置（長さ）を自由に選択することができる新規なバネ巻取り式の外部日除け装置の提案を目的とするものである。
【００１７】
また更に、本発明は、通常のスクリーンの操作時において大きな操作力を必要としない新規な外部日除け装置を提供することを目的とする。
【００１８】
【課題を解決するための手段】
上記の目的を達成する本願発明は以下の構成を有することを特徴とする。
（１）窓や出入り口などに差し込む日差しを遮る日除けスクリーンと、建物の外壁等に取付けられかつ前記スクリーンを巻上げできるように該スクリーン一端側が固定されたスクリーン巻取軸と、スクリーンの巻出し先端側を巻出した状態で支持する支持手段と、スクリーンを巻上げする方向の強制回転力を前記巻取軸に付勢するバネ手段と、このバネ手段によるバネ付勢力に抗して前記巻取軸にスクリーン巻出し方向の回転を与えることができるように設けられたスクリーン巻出し操作手段と、上記巻取軸の回転を制御する第１及び第２のクラッチ手段からなる巻取軸回転制御手段と、を備えた外部日除け装置であり、
上記第１のクラッチ手段は、前記スクリーン巻出し操作手段から巻取軸に伝えられる回転操作により前記バネ手段による巻取軸のスクリーン巻上げ方向の強制回転を自由に許す状態と、同強制回転を拘束する状態とを切替えるように設けられ、上記第２のクラッチ手段は、上記スクリーンに外部からスクリーン巻出し方向の張力が所定値以上の力として作用したときに上記第１のクラッチ手段により巻上げ方向の強制回転が拘束されている状態を解除して該強制回転を許すように設けられていることを特徴とする外部日除け装置。
（２）上記第２のクラッチ手段において、スクリーンから伝えられて巻取軸の巻上げ方向の強制回転の阻止を解除する所定値以上の回転力は、スクリーンに対して風で与えられるものであることを特徴とする上記発明（１）に記載の外部日除け装置。
（３）上記第１のクラッチ手段は、巻取軸を支持する固定軸との間で該巻取軸の巻上げ回転の許容と解除を切替える一方向性クラッチバネを含み、第２のクラッチ手段は、上記一方向性クラッチバネの締まり勝ってを解除する手段であることを特徴とする上記発明（１）に記載の外部日除け装置。
（４）上記第２クラッチ手段を解除するために必要な巻取パイプの回転量は、第１クラッチ手段を解除するために必要な巻取パイプの回転量よりも小さいことを特徴とする上記発明（１）ないし（３）のいずれかに記載の外部日除け装置。
（５）上記第２クラッチ手段を解除するための力を操作手段によって調整可能としたことを特徴とする上記発明（１）ないし（４）のいずれかに記載の外部日除け装置。
【００１９】
上記の発明（１）はより具体的には、例えば次のように構成される。すなわち、ロールスクリーン型の本発明（１）の装置は、両端にサイドプレートを有するセットフレームの該両端のサイドプレートに巻取パイプの両端を回転可能に支持させ、巻取パイプには、スクリーンの一端側が巻上げ及び巻出し可能に連結して、これに常時スクリーン巻上げ方向に回転する力を加えている巻取バネを設け、この巻取パイプには、操作コードにより回転操作可能なプーリーの回転を伝達可能とするとともに、巻取バネの弾性力を作用可能にクラッチ装置を設け、このクラッチ装置は、上記サイドプレートに回転不可能に取り付けられている固定軸と、固定軸に相対回転可能に支持されているとともに、巻取パイプに一体回転可能に連結されているパイプ受けと、固定軸に相対回転可能に嵌合された上記プーリーと、このプーリーと所定角度相対回転可能であるとともに一体回転するように連結可能なクラッチ筒と、プーリーとクラッチ筒との相対回転により、クラッチ筒とパイプ受けとを連結及び解除可能とする係合子と、クラッチ筒と所定角度相対回転可能とし、かつクラッチ筒と相対回転可能に嵌合されているクラッチバネ受けと、クラッチ筒の回転方向によりクラッチバネ受けとの締結（締め付け）及び解除をする第１のクラッチ手段と、スクリーンに強風が作用したときに第１のクラッチ手段によるスクリーン巻上げ阻止を解除できるようにした第２のクラッチ手段とを有するようにして構成できる。
【００２０】
このような装置において、スクリーンを下降（巻出し）させる場合は、操作コードをスクリーン巻出し方向に引いて、プーリーをスクリーン巻出し方向に回転させる。これにより、プーリーとクラッチ筒とが一体に回転して、クラッチ筒には、スクリーン巻上げ方向の回転力が加えられるが、一方向クラッチバネが緩み勝って（押し拡げられる）となるようにしておけば、クラッチバネ受けとの締結は解除されて、クラッチ筒の回転は許容される。これにより、プーリー、クラッチ筒は一体に回転していく。したがって、巻取パイプはスクリーンを巻出していく。スクリーンの巻出しを停止させる場合は、操作コードから手を離しプーリーの回転を停止させればよく、これにより、巻取パイプは巻取バネの弾性力によりパイプ受けとともにスクリーン巻上げ方向に回転しようとするが、係合子によってパイプ受けとクラッチ筒とが連結されているため、一方向クラッチバネが締まり、クラッチ筒とクラッチバネ受けとが締結されるので、クラッチ筒の回転が拘束される。したがって、パイプ受けも回転が拘束される。これにより、巻取パイプの回転が停止する。
【００２１】
スクリーンを上昇（巻上げ）させる場合は、操作コードを巻上げ方向に引きプーリーをスクリーン巻上げ方向に若干回転させることでプーリーとクラッチを所定角度相対回転させると、係合子がクラッチ筒とパイプ受けとの連結を解除する位置に移動するため、パイプ受けが回転自在な状態になり、巻取パイプは、巻取バネの弾性力により回転して、スクリーンを巻き上げる。
【００２２】
また、スクリーン展開時に強風が作用した場合、スクリーンが強風で巻出し方向に回転しようとする場合に、上記スクリーンから伝えられる巻出し方向の回転を阻止するように巻回されたクラッチバネの上記連結を解除するように設けることで、スクリーンに対する風による回転トルクがそれほど大きくないときには回転の阻止が維持されるが、所定の値を越えると回転阻止を解除して巻取軸を回転させ、上記係合子がクラッチ筒とパイプ受けとの連結を解除する位置まで強制回転すれば、巻取バネによる巻取軸の回転、したがってスクリーンの巻上げを自由に有す状態とすることができる。したがってこれにより、スクリーンが強い強風を受けたときに、巻取軸の巻上げ阻止を図っている第１のクラッチ手段の係合を解除して巻取軸が巻取バネの回転力によりスクリーンを巻き上げできることになる。
【００２３】
【発明の実施の形態】
以下本発明を具体的に示した実施形態を図面に基づいて説明する。
【００２４】
実施形態１
図１〜図９は、本発明の実施形態１の外部日除け装置の巻取パイプ（巻取り軸）の回転制御手段部分を示したものであり、第２のクラッチバネ機構（上述した第２のクラッチ手段）を除いた全体構造は、用途は異なるが上述した屋内用ロールスクリーンを開示した特開平７−２３３６８４号公報に記載の構造と概ね一致する。
【００２５】
本例の外部日除け装置は、次のように構成されている。すなわち、日除けを行うスクリーン１の巻上げ側一端を固定しかつ常時は内装した巻上げバネ（コイルバネ：図示せず）により巻上げ方向の回転バネ力が付与されている巻取パイプ３０１は、スクリーン１の巻出しガイドレールを兼ねた一対のサイドプレート２０１により回転可能に支持される。この一対のサイドプレート２０１は、建物の外壁等に固定のセットフレーム（図示せず）の両端に固定され、片側のサイドプレート２０１（図１, 図９参照）には、巻取パイプ３０１の回転制御手段が設けられるが、他側は単に巻取パイプ３０１の回転支持軸として機能する固定軸（図示せず）が設けられている。なお、２０１１はサイドプレート（ガイドレールを兼ねている）の姿勢を補強するための梁であり、サイドプレート２０１は建物の壁部からスクリーン巻出し先端をガイドするレール型に設けられている。
【００２６】
次に、巻取パイプ３０１のスクリーン１の巻出し，巻上げの回転制御手段について説明すると、これは、固定機構２、回転機構３、手動操作で回転されるプーリー機構４、回転部分と固定部分及びプーリー機構４との連係を断続するクラッチ機構５とからなっている。
【００２７】
上記において、固定機構２は、建物の外壁等にセットフレーム（図示せず）を介して固定された上記サイドプレート２０１と、これに固定されている固定支持軸２０２と、この固定支持軸２０２の非円形軸部２０２１に嵌合して回転不能に設けられているクラッチバネ受け２０３とからなっている。サイドプレート２０１から巻取パイプ３０１内部方向（水平方向）に延出された上記固定支持軸２０２は、軸方向に延出した所定位置（回転支持するプーリー等の嵌合部）までは断面円形の形状であり、その他のクラッチバネ受け２０３嵌合部から先端に至る範囲は円形断面を一対の弦で切り落とした非円形の形状をなしており、上記クラッチバネ受け２０３はこの非円形軸部２０２１に嵌合することで回転不能とされている。なお、断面円形，非円形の軸部を含めて、外周に嵌合される各部材の軸方向の位置決めのために、常法に従って所定位置に適当な抜け止めリングを弾性的にはめ込みするが、図示は省略した。
【００２８】
回転機構３は、上記のようにスクリーン１の一端が巻出し，巻上げ可能に固定された巻取パイプ３０１と、この巻取パイプ３０１が一体に嵌合され、かつ上記固定支持軸２０２に対して軸回り回転自在（クラッチ手段による制御を除く）に滑合されているパイプ受け３０２とからなっていて、巻上げバネには上述のように、図示しないより巻上げ方向の回転力が巻取パイプ３０１に常に作用するように設けられている。
【００２９】
スクリーン巻出し操作手段であるプーリー機構４は、図１，図３及び図７に示すように、上記固定支持軸２０２に軸回り回転が自在に滑合されているプーリー本体４０１と、このプーリー本体４０１に掛け回されて手動操作でプーリー本体４０１を回転させるための回転操作チェーン４０２とからなっていると共に、プーリー本体４０１の大径部４０１１の外周のギア４０１１１が回転操作チェーン４０２に係合し、また軸方向に延出された小径部４０１２の外周面に、周方向に１２０°間隔で径内方に凹設された短尺の周方向溝４０１３が設けられていて、後述するクラッチボール機構５１のクラッチ用鋼球（以下単に「ボール」という）５１２が、クラッチ筒４０３に対して、これに形成した径方向の貫通孔５１４の内外に出没できるように設けられている。
【００３０】
クラッチ機構５は、本例においては、上記ボール５１２がクラッチ筒５１１とプーリー本体４０１との周方向の相対回転で径方向に出没することにより、プーリー本体４０１と巻取パイプ３０１との周方向の連係を断続するようにしたクラッチボール機構５１、及び巻取パイプ３０１の巻上げ方向回転を阻止するクラッチバネ５２１とを有する機構によって構成される第１クラッチバネ機構５２からなる上述した第１のクラッチ手段と、このクラッチバネ５２１による巻取パイプ３０１のスクリーン１の巻上げ方向回転の阻止を解除する第２クラッチバネ機構５３からなる上述した第２のクラッチ手段とから構成されている。
【００３１】
以上のように説明される巻取パイプ３０１のスクリーン巻出し，巻上げの回転制御をするクラッチ機構５を構成する各機構は、それぞれ相互に連係しており、個々の構造だけでなく相互の連係関係を併せて説明することが理解を容易にするので、以下においては構造と機構の動きを併せて図１〜図８により説明する。
【００３２】
なお、図３〜図６は、図１に示した回転制御手段の各回転部分の周方向の位置関係を、動作姿勢の違い▲１▼〜▲７▼と、そのときの各断面位置Ａ〜Ｄ（図２参照）で示したものであり、これらの全体の関係は図８に示した。
【００３３】
まず、上記の巻取パイプ３０１に対するスクリーン巻出し操作手段であるプーリー機構４と、第１のクラッチ手段の一部を構成するクラッチボール機構５１の連係の構成について説明すると、巻取パイプ３０１には、スクリーン１の一端側が固定して連結され、またこの巻取パイプ３０１には、図示していない巻取バネによりスクリーン１を巻上げる方向への力が常に加えられていることは上述した通りである。なお、巻取パイプ３０１を巻出し回転駆動させる回転操作チェーン４０２（エンドレスのボールチェーン等）は図３，図９に示される。
【００３４】
そして、巻取パイプ３０１には、クラッチボール機構５１を介してプーリー機構４からスクリーンの巻出し方向及び巻き上げ方向の回転力伝達ができるようになっている。
【００３５】
すなわち本例のプーリー機構４は、プーリー本体４０１が、固定支持軸２０２に回転自在に滑合されて、回転操作チェーン４０２により正逆回転可能に設けられ、かつ、本例ではプーリー本体４０１が回転機構３のパイプ受け３０２との間の係合を断続する上記クラッチボール機構５１が設けられ、これらの係合の断続に加えて、係合時に回転機構３の巻上げ方向の回転を阻止（拘束）するクラッチバネ５２１が固定支持軸との間に設けられている。
【００３６】
上記クラッチボール機構５１の構成を説明すると、プーリー本体４０１には大径部４０１１と小径部４０１２が設けられ、その大径部４０１１から軸方向に延出された小径部４０１２の外周には、周方向に径が漸減する外周溝４０１３が上述のように１２０°の等間隔で３箇所に設けられている（図３の断面Ａ，Ｂ参照）。
【００３７】
また、プーリー本体４０１には、軸方向に貫通しかつ周方向に一定角度の長さをもつように形成された孔部４０１４が設けられていて、後述のクラッチ筒５１１から軸方向に延出された爪５１３が周方向に一定角度の相対回転できる遊度をもって嵌挿される（図３の断面Ａ参照）。
【００３８】
このような構成を有することにより、プーリー本体４０１とクラッチ筒５１１は、上記遊度の分だけ周方向に「から運動」することができるようになっており、この「から運動」により、上記クラッチ筒５１１に設けられている周方向溝４０１３に上記ボール（鋼球）５１２が上記周溝４０１３内に落ちたり溝外に乗り上がったりすることで径方向に出没し、回転機構３のパイプ受け３０２と周方向の係合を断続できるようにしている。又この係合のために、パイプ受け３０２にはその内周に内向き突起３０２１を周方向に等間隔に６箇所設け、ボール５１２が径外方に突出したときに周方向の係合を生ずるようにしている。なお上記において「から運動」というのは、周方向に一定角度の相対回転できる遊度をもつ一対の回転部材が、相互に係合しない状態で周方向に相対回転する運動（これを「から運動」という）を行い、この相対回転で一方向の遊度がなくなったときに係合して相互に回転力を伝える状態になることをいう。
【００３９】
次に第１の手段の一部を構成する第１クラッチバネ機構５２について説明すると、これは図１及び図７により示され、クラッチバネ５２１とクラッチアダプタ５２２とから構成されている。
【００４０】
このクラッチバネ５２１は、一端５２１１がクラッチアダプタ５２２に周方向の移動が拘束されて係合され、他端５２１２は（後述する第２クラッチバネ機構５３との連係の説明はここでは省略する）、固定支持軸２０２と回転不能のクラッチバネ受け２０３に巻き付き、クラッチアダプタ５２２のスクリーン１の巻上げ方向の回転を締め勝ってとなって阻止（拘束）するように設けられている。なお、クラッチアダプタ５２２は、クラッチ筒５１１に対して軸方向に対向すると共に、周方向には若干の遊度をもって係合及び係合解除ができるように設けられている。
【００４１】
上記のような構成を有するクラッチボール機構５１及び第１クラッチバネ機構５２からなる第１のクラッチ手段の動きを、プーリー機構４のプーリー本体４０１に対する人為的な操作との関係で説明すると、いま、スクリーン１が巻取パイプ３０１に完全に巻き上げられている状態（図３の状態▲１▼Ａ参照）と考えて、この状態から、プーリー機構４のプーリー本体４０１をスクリーン１を巻出し方向に回転操作すると、プーリー本体４０１は図３中の時計回り方向に回転することになり、静止状態のクラッチ筒５１１の爪５１３に対して孔部４０１４が所定角度だけ「から運動」した後、該孔部４０１４の周方向端部壁が係合して回転力を伝達する状態（図３の状態▲２▼Ａ参照）に移行する。
【００４２】
また、この途中におけるクラッチボール機構５１に生ずる動作は断面Ｂで示され、（図３の状態▲１▼Ａ）ではプーリー本体４０１の周方向溝４０１３とボール５１２の周方向の位相が一致して該ボール５１２はクラッチ筒５１１の径方向貫通の孔部５１４に落ち込む（ことができる）ようになっているが（図３の状態▲１▼Ｂ参照）、（図３の状態▲２▼Ａ）では、上記位相がずれてボール５１２は周方向溝４０１３からプーリー本体４０１の外周面（小径部の外周面）に乗り上がり、径方向貫通孔５１４から径外方に突出することになる（図３の状態▲２▼Ｂ参照）。なお、これらの状態移行に伴うボール５１２の径方向位置の違いは、図７の（イ）、（ロ）によって示され、この図７の（イ）→（ロ）の状態移行により、ボール５１２は図７（ロ）の状態ではクラッチ筒５１１の外周よりも外側に突出することになる。
【００４３】
以上の（図３の状態▲２▼Ａ）から更にスクリーン１を巻出す方向に回転機構３を操作すると（通常は一連の操作）、プーリー本体４０１はクラッチ筒５１１を随伴して回転させることになる（図３の状態▲３▼Ａ）。そして回転機構３によるスクリーン巻出し方向の回転操作を連続させると、その操作初期に生じた（図３の状態▲２▼Ｂ）から更に同回転操作が連続するので、クラッチ筒５１１から径外方に突出された状態に維持されたボール５１２が上記パイプ受け３０２の内周に設けた突起３０２１に係合することになり（図３の状態▲３▼Ｂ）、更なる同回転操作の連続で、クラッチ筒５１１、従ってパイプ受け３０２及び巻取パイプ３０１に対してスクリーン巻出し方向の回転力が伝えられる（上記図３の状態▲３▼Ｂと同じ）。このとき、第１クラッチバネ機構５２のクラッチバネ５２１は、回転不能のクラッチバネ受け２０３に対し緩み勝っての状態にあるため拘束は受けず、この回転力伝達によりパイプ受け３０２、従って巻取パイプ３０１はスクリーン１を巻出す（日除けのために展開する）方向に自由に巻出されることになる。
【００４４】
次に、以上のスクリーン巻出し操作を終了してこの操作を停止した時の同回転制御手段の各機構の状態を説明すると、これらの各機構に対する外部からの回転力のうちの回転機構３（プーリー）からの操作力はなくなるので、巻取パイプ３０１に内装されている巻取バネの回転力のみとなる。したがって、巻取パイプ３０１は同バネ力により巻上げ方向に回転しようとすることになる。
【００４５】
しかしこの際において、第１クラッチバネ機構５２のクラッチバネ５２１に作用する回転力の伝達方向は上記のスクリーン巻出し方向とは反対のプーリー本体４０１から巻取パイプ３０１への方向となり、かつこの回転力伝達方向が逆転することに伴って巻取パイプ３０１の回転が拘束される。
【００４６】
すなわち、巻取パイプ３０１からプーリー本体４０１に回転力を伝える途中に介在する上記クラッチアダプタ５２２は、これと回転不能に係合するクラッチバネ受け２０３を介して固定部（本例ではクラッチバネ受け２０３）との間に、相対回転の方向が正・逆に変わることで回転を許容，拘束するクラッチバネ５２１が設けられているので、バネとの巻き付き方向の関係で締まりや緩みにより締り勝って，緩み勝ってが変わる。本例では上述したパイプ受け３０２と、固定部（クラッチバネ受け２０３）との間において、スクリーン巻出し方向の操作の際には、このクラッチバネ５２１は固定部に対しては緩み勝ってとなるが、反対方向については締め勝ってとなる。したがって、固定部（クラッチバネ受け２０３）との関係において巻取パイプ３０１の巻取バネによる巻上げ方向の回転は拘束されることになる（図３の状態▲４▼Ａ）。なお、この巻取パイプ３０１の巻上げ方向の回転（プーリーからの巻出し方向の回転に逆方向の回転）が拘束される状態という条件では同じ図３の状態▲３▼Ａ，Ｂとの間でクラッチ筒５１１の回転位置・姿勢に若干の変化があるのは、クラッチバネ５２１の緩み状態から締め状態への回転が必要になるためである。また図３中の太線矢印と細線矢印は、前者は人為的な回転操作力を示し、後者は巻取バネによる機械的な回転操作力を示し、更に後述する点線矢印は風による回転力を示している。
【００４７】
以上の状態から、スクリーン１を巻き上げる場合には、回転操作手段のプーリー本体４０１をスクリーン巻上げ方向に回転させるようにすればよい（図３の状態▲５▼Ａ参照）。
【００４８】
すなわち、この回転機構４のプーリー４０１をスクリーン巻上げ方向に操作した場合、クラッチバネ５２１によるクラッチアダプタ５２２の回転（巻上げ方向の回転）は阻止は継続している。
【００４９】
この状態で回転機構３からプーリー本体４０１をスクリーン１の巻上げ方向に人為的に操作したときに、クラッチ筒５１１は回転せず（クラッチバネ５２１で回転が拘束されているクラッチアダプタ５２２とボール５１２の係合が継続）、したがって巻取パイプ３０１の回転はそのまま阻止（拘束）されている。一方、拘束されていないプーリー本体４０１は上記人為的な操作で回転される。そして、プーリー本体４０１がクラッチ筒５１１に対して所定角度の「から運動」をする（図３の状態▲５▼Ａ）と、クラッチ筒５１１とプーリー本体４０１の周方向の位相が所定角度ずれてボール５１２がプーリー本体の周方向溝４０１３に落ち、上記のクラッチアダプタ５２２とボール５１２の係合が外れる状態となり（図３の状態▲５▼Ｂ）、クラッチバネ５２１による巻取パイプ３０１に対する巻上げ方向の回転阻止が解除されるので、スクリーン１は巻取バネのバネ力で全て巻上げられることになる。図７（ハ）は、ボール５１２がクラッチ筒５１１の径方向外側から内側に落ち込むようになった状態（図３の状態▲５▼Ｂ）を示している。
【００５０】
次に本例におけるスクリーン１に風が作用した場合について、この場合に機能する第２クラッチバネ機構５３の構成と動作を説明する。
【００５１】
本例の第２のクラッチ手段を構成する第２クラッチバネ機構５３は、上記クラッチバネ５２１の他端５２１２がクラッチバネ受け２０３に巻き付く位置から更に延長されていて、パイプ受け３０２と所定の回転連係関係に設けられているフリクションカラー５３１との間で、締り勝って，緩み勝ってがこのフリクションカラー５３１とクラッチアダプタ５２２の間の相対回転の方向と回転力伝達の方向の違いにより変わるように設けられている。なお５３２はスペーサリングであり、フリクションカラー５３１とクラッチアダプタ５２２の巻き付き関係を設定するために設けられ、周方向に関して固定支持軸２０２の非円形軸部２０２１に嵌合して回転不能に固定されている部材であり、作動機構上は特に機能するものではない。なお、上記のフリクションカラー５３１は、パイプ受け３０２との間で周方向に若干の遊度をもって係合し、スペーサリング５３２に対しては周方向に回転自在に外装されている（図５のＤ参照）。
【００５２】
このような構成において、スクリーン１が巻出し展開された状態で停止している状況（図５の状態▲４▼Ｄ，図３の状態▲４▼Ａ，Ｂ参照）で、このスクリーン１に風が作用すると、スクリーン１が煽られるので巻取パイプ３０１には巻出し方向の回転力が作用することになる（図４の状態▲６▼Ａ，Ｂ参照）。このとき、風が微風であればスクリーン１から巻出し方向に作用する回転力は小さく、フリクションカラー５３１からクラッチバネ５２１に伝えられる回転力は小さいのでクラッチバネ５２１の締め勝って方向の拘束力を緩めることができずに、上記（図３の状態▲４▼Ｂ）の状態はそのまま維持されることになる。
【００５３】
しかし、作用する風が強風で巻取パイプ３０１からフリクションカラー５３１に作用するトルク（回転力）が予め設定した値を越える場合には、クラッチバネ５２１の締め勝って方向の拘束力を緩め、つまり、該クラッチバネ５２１のクラッチバネ受け２０３に対する締め勝って状態を緩める方向への回転力が大きくなり、クラッチアダプタ５２２の回転を許すことになる（図４の状態▲７▼Ｃ，図６の状態▲６▼Ｄ参照）。
【００５４】
このようにすると、クラッチアダプタ５２２ひいてはクラッチ筒５１１に対するクラッチバネ５２１のスクリーン巻上げ方向の回転阻止が解除されて、巻取パイプ３０１は巻取バネにより巻上げ方向に回転しようとすることになり、この回転の角度が、ボール５１２がプーリー本体４０１の周方向溝４０１３に落ち込むまでの位相ずれとなった時点で、巻取パイプ３０１に対する巻上げ方向の回転阻止は完全に解除されて、スクリーン１は巻き上げられることになる。この動作状況は図５〜図７により示される。
【００５５】
つまり、巻出されて展開した状態にある日除けスクリーン１に作用すると、通常は直線状をなしているこのスクリーン１がふくらみ変形し、これが巻取パイプ３０１に対しては巻出し方向の力となる。この風の力（図３〜図７では点線で示した回転力）が小さい場合には、スクリーン展開状態を維持している各機構の動作状態は概ね変化がないが、この回転力が大きい場合（つまり強風の場合）には、フリクションカラー５３１が、巻取パイプ３０１と一体のパイプ受け３０２からの回転力を強く受けて、締め勝って状態のクラッチバネ５２１を緩める方向に強く作用し、これによってこの該クラッチバネ５２１は若干径がふくらまされることになり、クラッチバネ受け２０３との締め勝っての締結を緩めて滑らせ、最終的には、クラッチ筒５１１とプーリー本体４０１の周方向の位相をずらせて、クラッチボール機構５１のボール５１２をクラッチ筒５１１の外周から周方向溝４０１３に落ち込ませこれらの係合を解除させる（図７（ホ）参照）。この係合解除により、巻取パイプ３０１は内装した巻取バネのバネ力でスクリーン１を最終巻上げ状態まで自動的に巻き上げることになる。
【００５６】
以上のように、本例の装置においては、第２クラッチバネ機構５３が、巻出して停止した展開状態のスクリーン１に対し、予めクラッチバネ５２１の巻き付け力などで設定した力以上の強い強風が作用した場合には、スクリーン１の巻上げを拘束している第１クラッチバネ機構５２による回転拘束を解除してスクリーン１を巻き上げることができ、この動作において人為的な操作は不要であり、風の影響のみに応じて自動的に作動することができる。
【００５７】
以上説明したように、本例においては、特に特徴的な第２のクラッチ手段を構成するフリクションカラー５３１により、巻取パイプ３０１に作用した風による回転トルクでクラッチバネ５２１が緩み方向の力を受けてクラッチ筒５１１の回転を許すため、クラッチボール機構５１のボールが、静止しているプーリー本体４０１の周方向溝４０１３に落ち込むようになり（図７（ホ）参照）、該クラッチバネ５２１による巻取パイプ３０１の巻上げ回転阻止が解除されてスクリーン１が巻取パイプ内装の巻取バネにより巻上げられることになる。したがって、本例の外部日除け装置によれば、通常はスクリーン１が回転操作チエーン４０２の操作により巻出しあるいは巻上げされるが、スクリーン１を巻き出して展開した状態で強風が作用すると、自動的にスクリーン１巻き上げることができるという優れた効果が得られ、かつこのための機構も比較的に簡単であるため、部品数も少なく、低コストに構成することができる利点がある。
【００５８】
実施形態２
本例は図１０、図１１に示され、第２のクラッチ手段が実施形態１とは異なり、またこれに伴って第１のクラッチ手段の構成が実施形態１とは異なるが、全体の基本的構成と、動作の概要はほぼ同じである。すなわち本例による動作は、プーリー機構４１をスクリーン巻出し方向に操作する際に巻取パイプ３０１の回転が自由に許されるが、この巻出し操作を停止した時点で、内装（図示せず）した巻取バネによる該巻取パイプ３０１のスクリーン１の巻上げ方向の回転は阻止され、その後、プーリー機構４１をスクリーン巻上げ方向に若干操作したときに上記回転阻止を解除して、巻取バネによる強制巻上げを許容できるようにしたという一連の動作を行い、この動作は実施形態１と概ね同じである。
【００５９】
本例における機構上の特徴は、要するに、スクリーン１を巻出した状態で停止させる巻上げ阻止のための機構と、強風時にこの巻上げ阻止を解除するための機構が上記実施形態１と異なるところにある。
【００６０】
これを以下説明すると、本例においては、第１クラッチバネ機構５５（実施形態１の第１クラッチバネ機構５２に相当）のクラッチバネ５５１が、その回転方向により、非回転のクラッチバネ受け２０３に対して締まり勝って、緩み勝ってが切り替わるように連係されているが、強風の作用で巻取パイプ３０１の回転に従動するフリクションカラー（実施形態１の５３１）に相当するものが設けられていないので、力の伝達がプーリー機構４１→巻取パイプ３０１の方向の場合、スクリーン巻出し方向のプーリー回転時にはクラッチバネ５５１は常に緩み勝ってとなって巻取パイプ３０１の回転を許す。反対にプーリー機構４１をスクリーン巻上げ方向に回転させる場合は、クラッチバネ５５１は本来は締まり勝ってとなるので拘束されることになるが、クラッチバネ５５１の緩み勝ってから締まり勝てに移行するまでの若干の遊度があるので、その遊度分はプーリー機構４１のプーリー本体４１１の回転が許されることになる。
【００６１】
一方、力の伝達がプーリー機構４１→巻取パイプ３０１の方向から逆転して、巻取パイプ３０１→プーリー機構４１の方向となる場合は次の二つに場合分けされる。
【００６２】
すなわち、プーリー機構４１によるスクリーン巻出し方向操作を停止した時点では、巻取パイプ３０１に巻取バネの巻上げ方向のバネ力が作用しているため、力の伝達方向は上記の巻取パイプ３０１→プーリー機構４１の方向になるが、スクリーン巻上げ方向の巻取パイプ３０１の回転は、該クラッチバネ５５１が上述のように締まり勝ってとなっているので巻取パイプ３０１の同方向への回転を拘束（つまり非回転のクラッチバネ受け２０３により巻上げを拘束）することになる。つまり、スクリーン１をプーリー機構４１で巻上げ操作した後、この操作を停止した時点では、巻取パイプ３０１は巻取バネでスクリーン１を巻上げる方向に回転しようとするが、この回転はクラッチバネ５５１により拘束されるということになる。なお、力の伝達方向を考えずに回転方向だけでいうと、プーリー機構４１をスクリーン１の巻上げ方向への操作をすると、回転方向は同じであるが力の伝達方向が逆であるためにクラッチバネ５５１の締まり勝ってと緩み勝ってが逆転し、プーリー本体４１１の同方向の回転は許容されて後述するクラッチボール機構５４がプーリー機構４１と巻取パイプ３０１の間の連係断続を切替えるという特徴がある。
【００６３】
また、巻取バネによる巻取パイプ３０１の巻上げ方向の回転を拘束（阻止）している状態で、スクリーン１に強風が作用した場合を考えると、この方向の巻取パイプ３０１の回転（つまりスクリーン巻出し方向の回転）は、クラッチバネ５５１の締まり勝ってと緩み勝ってが逆転して、巻取パイプ３０１は非回転のクラッチバネ受け２０３に対し締まり勝ってとなって拘束されることになる。
【００６４】
また、第２のクラッチ手段の一部を構成する第２クラッチバネ機構５６は、本例では、プーリー本体４１１に対し所定の回転方向の遊びが設けられていることで一定回転角度の「から運動」ができ、かつ更にその外周に配置されたクラッチ筒５４１の内周面に対して、回転方向により締まり勝って，緩み勝ってが切り替わる第２クラッチバネ５６３と、このクラッチ筒５４１を、非回転体（固定支持軸２０２と一体の回転不能の筒体）５６５との間で所定の回転方向の摩擦抵抗をもって係合するゴム体筒５６４とから構成されており、上記クラッチ筒５４１は、実施形態１におけるクラッチボール機構５４のプーリー本体４０１（本例では４１１）と所定角度の回転方向の「から運動」ができるように係合されているものである。
【００６５】
このように構成された第２クラッチバネ機構５６は、プーリー機構４１をスクリーン１を巻出し方向に回転操作した際には、第２クラッチバネ５６３はクラッチ筒５６１に対して緩み勝って方向とするので回転が許されて、クラッチボール機構５４（これは実施形態１のクラッチボール機構５１と同じ構成）の係合の断続で巻取パイプ３０１の回転を行わせ、スクリーン１の巻出し（展開）を許すことになる（図１１Ｅ−▲２▼，Ｆ−▲２▼参照）。
【００６６】
そして、このプーリー機構４１によるスクリーン１の巻出し操作を停止させると、巻取パイプ３０１は内装した巻取バネにより巻上げ方向に回転しようとするが、上述したように第１クラッチバネ機構５５のクラッチバネ５５１の回転拘束によりこの巻取パイプ３０１の巻上げ方向の回転は阻止される。この際、クラッチバネ５５１の緩み勝って状態から締まり勝って状態への移行のための若干の回転が巻取パイプ３０１に生じ、第２クラッチバネ５６３はこの若干の回転に追従し（図１１Ｅ−▲３▼，Ｆ−▲３▼参照）、その状態（スクリーン１展開状態）で停止する。
【００６７】
次に、上記スクリーン１展開状態で停止している装置のプーリー機構４１のプーリー本体４１１を巻上げ方向に回転させると、クラッチバネ５５１の回転拘束により停止している巻取パイプ３０１に対して該プーリー本体４１１が回転するため、クラッチボール機構５４のボール５４２が、プーリー機構４１の周方向溝４１１３（実施形態１の４０１３と同じ）の径方向内側に落ち込み、巻取バネによる巻取パイプ３０１の巻上げ方向の回転を阻止する係合が解除されるので、該巻取パイプ３０１は自動的に巻上がることになる（図１１Ｅ−▲５▼，Ｆ−▲５▼参照）。なお、図が煩雑になるため実施形態１と実質的に同じ機構、部分については符号の図示は省略した。
【００６８】
以上が本例の外部日除け装置の通常の動作状態であるが、スクリーン１が展開した状態で、人為的でなく、スクリーン１に強風が作用した場合には次のようにして該スクリーン１は自動的に巻上がることになる。
【００６９】
すなわち、スクリーン１に強風が作用した場合の状況では、プーリー機構４１には外部操作力が作用しないので、同機構４１はそのままの姿勢を維持する（図１１Ｅ−▲３▼と▲６▼を参照）。一方、巻取パイプ３０１には風によってスクリーン１を巻出そうとする力が作用するが、この方向への巻取パイプ３０１の回転は、第２クラッチバネ５６３が締まり勝ってとなるので阻止される。すなわち、第２クラッチバネ５６３が緩み勝ってから締まり勝ってに移行する巻取パイプ３０１の若干の回転は許されるが、該第２クラッチバネ５６３が締まり勝って状態となった後は、基本的には該巻取パイプ３０１の巻出し方向の回転は阻止される。
【００７０】
しかし、この第２クラッチバネ５６３による非回転部と巻取パイプ３０１との間の回転阻止は、本例ではゴム体筒５６４の非回転部との間の摩擦抵抗で与えるようにしているので、回転体側（つまり巻取パイプ３０１側）に、当該摩擦抵抗よりも大きな回転力が生じた場合には、摩擦係合部分の滑りを生じ、両者の間に相対回転が行われることになる。これにより、クラッチボール機構５４のボール５４２がプーリー機構４１（プーリー本体４１１）の周方向溝４１１３に落ち込むことができる状態に移行し、巻取パイプ３０１は内装巻取バネにより自動的に巻上がることになる（図１１Ｅ−▲６▼，Ｆ−▲６▼参照）。
【００７１】
以上の「から運動」動作などを与えるプーリー本体４１１、クラッチ筒５４１、第２クラッチバネ５６３、ゴム体筒５６４、クラッチボール機構５４等の具体的な機構は、図１０のＥ−Ｅ断面、及びＦ−Ｆ断面を示した図１１により説明される。なお、図１１の動作状態の図示は、説明を分かり易くするために実施形態１の動作と一致させた動作状態を示す符号▲２▼，▲３▼，▲５▼，▲６▼を用いて示した。
【００７２】
以上の説明から分かるように、本例の機構は実施形態１とはその構成が異なるが、生ずる動作は基本的には同様のものであり、これらのことから本発明の課題は種々の構成により実現できることが分かる。
【００７３】
実施形態３
本例は図１２，図１３に示され、巻取パイプ３０１の巻出し、この巻出し操作の停止後における該巻取パイプ３０１の巻上げ回転の阻止、及び人為的な巻上げ操作に伴う動作については、特許第２６６１８２９号公報に記載されているいわゆる迷路型の第１のクラッチ手段６に、操作手段としてプーリー機構４２を追加したものであり、要するに、プーリー機構４２による巻取パイプ３０１の巻出し方向の操作の操作量、すなわちプーリー４２１を所定角度以上回転させたときには、巻取パイプ３０１をスクリーン巻出し方向に回転させ、プーリー４２１を所定角度のみ回転させたときには、巻取パイプ３０１をスクリーン巻上げ方向に回転できるよう、非回転部（固定支持軸２０２等）に対してスクリーン１の巻上げと、その阻止を切換えるようにしたものであり、プーリー４２１からの回転は順番にパイプ受け７０９、回転部材７０４、ボール７０３、パイプ受け７０２から巻取パイプ３０１へと伝達される。なお、第１クラッチ手段６の具体的な内容は、上記公報を参照すれば理解できるので本明細書においては説明を省略する。
【００７４】
本例の機構による通常の動作（上記公報で説明されるプーリー機構４２を操作することで行われる動作）は、図１３の（イ）→（ロ）→（ハ）→（ホ）の順に行われ、スクリーン１のプーリー機構４２による巻出し時には巻取パイプ３０１が同方向に回転し（図１３（イ）参照）、この操作を停止すると、巻取パイプ３０１の巻上げ方向の回転は迷路型の第１のクラッチ手段６により阻止される（図１３（ロ）参照）。次に、人為的にプーリー機構４２をスクリーン巻出し方向に一定角度回転操作すると（図１３（ハ）参照）、迷路型の第１のクラッチ手段６の巻取パイプ３０１の同方向回転阻止が解除され、該巻取パイプ３０１は巻取バネによりスクリーン巻上げ方向に回転されることになる。
【００７５】
ところで、図１３（ロ）の展開状態にあるスクリーン１に対して、風等の外力が作用すると、該スクリーン１は巻出し方向に強く引かれることになるが、上記特許第２６６１８２９号公報記載の装置のみでは、屋外での使用等このような状況を想定しておらず、仮に上記のような外力が作用した場合には、スクリーン１が巻き出され手巻取パイプ３０１が所定角度のみ回転することがあるため、微風が作用した場合でも、クラッチ手段が解除されて巻取パイプ３０１がスクリーン巻上げ方向に回転されてしまう。
【００７６】
本例の特徴は、以上の構成に加えて、第２クラッチ手段を追加することによって、スクリーン１に微風が作用したときにはスクリーン１の展開状態を維持するが、スクリーン１に強風が作用したときにはスクリーン１の自動的な巻上げが行われるところにある。
【００７７】
すなわち、作用する風が微風である場合には、ストッパケース７０１及びこれと一体回転するパイプ受け７０２から、ボール７０３に回転力が伝わって、このボール７０３と実質的に一体の回転部材７０４が回転しようとするが、この回転部材７０４と固定支持軸２０２の間に連係された第２クラッチバネ７０５は、同方向の回転部材７０４の回転を阻止するように締まり勝ってとされていて、上記巻取パイプ３０１の微風の作用による巻出し方向の回転は阻止される。
【００７８】
一方、巻取パイプ３０１に強風が作用して該巻取パイプ３０１が強く回転しようとする場合には、上記ボール部分の連係を介した回転阻止に打ち勝って、ストッパケース７０１及びパイプ受け７０２が回転するようになっている。この回転阻止に打ち勝った回転は、上記パイプ受け７０２に設けたボール受け溝７０２１から、ボール７０３が溝外に乗り上がる軸方向の力として定めることができ、その力の大きさは、本例においては、皿バネ７０６のバネ力をバネ力調整ダイヤル７０７で調整することで所望する値に設定することができる。
【００７９】
なお、７０８はクラッチバネ受け、７０９はケーシング、４２はプーリー機構、４２１はそのプーリー本体である。
【００８０】
以上の構成の本例の回転制御手段によれば、スクリーン１に強風が作用したときには、図１３の（ロ）→（ニ）→（ホ）の順に巻取パイプ３０１側の機構が回転して、迷路型の第１のクラッチ手段６の巻取パイプ３０１の同方向回転阻止が解除され、該巻取パイプ３０１は巻取バネによりスクリーン巻上げ方向に回転されることになる。
【００８１】
本願発明は上記の実施形態に限定されることなく、実施形態１あるいは実施形態２において第２クラッチ手段をそれぞれパイプ受け３０２の内部あるいはプーリー本体４１１の外周部に設けているが、パイプ受け３０２の外側あるいはプーリイー本体４１１の内周面に設けることもでき、また、実施形態３において第２クラッチ手段を巻取パイプの外側に設けているが、巻取パイプに内側に設けることなど、種々の実施形態を含むことは言うまでもない。
【００８２】
【発明の効果】
以上説明したように、本発明の該部日除け装置によれば、スクリーンに所定量以上の風の作用がかかった場合には、自動的にスクリーンを巻上げできるようにしたため、屋外に設置した場合には、強風が吹いても製品の破損を防止することができる。
【００８３】
また、巻取パイプ側に設けたクラッチ装置が解除されることによって、強風が吹いた場合に自動的にスクリーンを巻上げようにしたため、アームの種類にこだわることなく、スクリーンが途中位置で停止されている場合でも強風に対応できる。
【００８４】
第２クラッチ手段の抵抗力を調整可能なダイヤルなどを設けることによって、製品毎に抵抗力の調整をすることができるため、製品サイズに係わらず部品の共通化を図ることができる。
【図面の簡単な説明】
【図１】本発明の実施形態１の外部日除け装置の巻取軸回転制御手段を構成する装置の部分断面図。
【図２】図１の装置の各部の動きを説明するためのＡ〜Ｄの断面位置を示した図。
【図３】図２のＡ〜Ｃ部分の機構の通常の動きを示した図。
【図４】図２のＡ〜Ｃ部分の機構の強風作用時の動きを示した図。
【図５】図２のＤ部分の機構の通常の動きを示した図。
【図６】図２のＤ部分の機構の強風作用時の動きを示した図。
【図７】プーリーと巻取パイプの間の回転力の伝達を説明するための図。
【図８】図３〜図６の各部の機構の動きを総括的に示した図。
【図９】図１の機構適用した外部日除け装置の概要一例を示した図。
【図１０】本発明の実施形態２のロールスクリーン装置の全体図である。
【図１１】図１０の装置の各部の動きを説明するためのＥ，Ｆ断面位置を示した図。
【図１２】本発明の実施形態３のロールスクリーン装置の全体図である。
【図１３】同実施形態３の（イ）〜（ホ）の動作状態を示した図である。
【符号の説明】
１：スクリーン
２：固定機構
２０１：サイドプレート
２０１１：梁
２０２：固定支持軸
２０２１：非円形軸部
２０３：クラッチバネ受け
３：回転機構
３０１：巻取パイプ
３０２：パイプ受け
３０２１：内向き突起
４，４１：プーリー機構
４０１，４１１：プーリー本体
４０１１：大径部
４０１１１：ギア
４０１２：小径部
４０１３，４１１３：周方向溝（外周溝）
４０１４：孔部
４０２：回転操作チェーン
４０３１：径方向貫通孔
５：クラッチ機構
５１：，５４クラッチボール機構
５１１，５４１：クラッチ筒
５１２，５４２：ボール（鋼球）
５１３：爪
５１４：貫通孔
５２，５５：第１クラッチバネ機構
５２１，５５１：クラッチバネ
５２１１：一端
５２１２：他端
５２２：クラッチアダプタ
５３，５６：第２クラッチバネ機構
５３１：フリクションカラー
５３２：スペーサリング
５６３：第２クラッチバネ
５６４：ゴム体筒
５６５：非回転体
６：第１のクラッチ手段
【図１】
0003795741.tif 000002
【図２】
0003795741.tif 000003
【図３】
0003795741.tif 000004
【図４】
0003795741.tif 000005
【図５】
0003795741.tif 000006
【図６】
0003795741.tif 000007
【図７】
0003795741.tif 000008
【図８】
0003795741.tif 000009
【図９】
0003795741.tif 000010
【図１０】
0003795741.tif 000011
【図１１】
0003795741.tif 000012
【図１２】
0003795741.tif 000013
【図１３】
0003795741.tif 000014